(57)【要約】      （修正有）【課題】部品点数を減らして誰でも容易に組み立て可能で、且つ、剛性力を増して積み重ねても変形せず、又、転倒防止機能と引き出し固定機能を設ける事で安定性を高め、更に積み重ね時の高さを任意に調整可能な転倒防止機能付積み重ね式収納箱を開発・提供する。【解決手段】収納箱は外枠の左右両側板部及び背面側板部と引き出しの正面側板部と後側板部をそれぞれ二重構造に形成し、且つ、外枠の左右両側板中央部の上下に、位置固定用係止凸部と位置固定用係止凹部をそれぞれ設け、且つ、上下外枠本体の左右両側板部と引き出しの左右両側板部に引き出し固定用係止穴部と左右両側板固定用係止部材と左右両側板固定用係止溝部をそれぞれ設けた。【選択図】図５
0003119934.tif 000002
【実用新案登録請求の範囲】
【請求項１】
上下二分割したダンボール紙等の紙製の上下外枠本体（１）（２）をそれぞれ折り曲げて重合し、組み合わせて形成するか、又は、上下一体の外枠本体を折り曲げて重合し、組み合わせて形成した外枠と引き出し（３）とを組み合わせて成る収納箱であって、且つ、該収納箱は外枠の左右両側板部（１ｂ）（１ｂ’），（２ｂ）（２ｂ’）及び背面側板部（１ｃ）（２ｃ）と引き出し（３）の正面側板部（３ｅ）（３ｆ）と後側板部（３ｃ）（３ｄ）を、それぞれ段目を合理的に利用して二重構造に形成し、且つ、外枠の左右両側板中央部の上下に、位置固定用係止凸部（１ｆ）（１ｆ’）と位置固定用係止凹部（２ｆ）（２ｆ’），（１ｉ）（１ｉ’）をそれぞれ設け、且つ、上下外枠本体（１）（２）の左右両側板部（１ｂ）（１ｂ’），（２ｂ）（２ｂ’）と引き出し（３）の左右両側板部（３ｂ）（３ｂ’）に引き出し固定用係止穴部（１ｇ）（１ｇ’）と左右両側板固定用係止部材（２ｇ）（２ｇ’）と左右両側板固定用係止溝部（３ｇ）（３ｇ’）をそれぞれ設けた事を特徴とする転倒防止機能付積み重ね式収納箱。
【考案の詳細な説明】
【技術分野】
【０００１】
この考案は、転倒防止機能付積み重ね式収納箱に関するものである。
【背景技術】
【０００２】
従来のダンボール製収納ボックスは、積み重ねると安定性が悪く、又、強度的にも剛性不足等が原因で箱が変形し、引き出しを取り出す際に取り出せない等の問題が有った。
【０００３】
又、組立もリベットやピンや糊等の別パーツを必要とするものが多く作業性にやや難点が有り、廃却する際も部品を分類して処分する必要が有り、非常に手間が掛かっていた。
【０００４】
これまでに出願されている紙製収納箱の特許文献を参考の為、紹介する。（特許文献１〜２参照。）
【特許文献１】特開２００５−２１２８３４
【特許文献２】特開２００５−１０４５４９
【考案の開示】
【考案が解決しようとする課題】
【０００５】
そこで、上記課題を解決する為に、この考案は部品点数を減らして誰でも容易に組み立て可能で、且つ、剛性力を増して積み重ねても変形せず、又、転倒防止機能と引き出し固定機能を設ける事で安定性を高め、更に積み重ね時の高さを任意に調整可能な転倒防止機能付積み重ね式収納箱を開発・提供する事にある。
【課題を解決するための手段】
【０００６】
この課題を解決する為の手段として、収納箱は外枠の左右両側板部及び背面側板部と引き出しの正面側板部と後側板部をそれぞれ二重構造に形成し、且つ、外枠の左右両側板中央部の上下に、位置固定用係止凸部と位置固定用係止凹部をそれぞれ設け、且つ、上下外枠本体の左右両側板部と引き出しの左右両側板部に引き出し固定用係止穴部と左右両側板固定用係止部材と左右両側板固定用係止溝部をそれぞれ設けたものである。
【考案の効果】
【０００７】
この考案の効果として、収納箱は外枠の左右両側板部及び背面側板部と引き出しの正面側板部と後側板部をそれぞれ二重構造に形成し、且つ、外枠の左右両側板中央部の上下に、位置固定用係止凸部と位置固定用係止凹部をそれぞれ設け、且つ、上下外枠本体の左右両側板部と引き出しの左右両側板部に引き出し固定用係止穴部と左右両側板固定用係止部材と左右両側板固定用係止溝部をそれぞれ設ける事で、収納箱の外枠及び引き出しの剛性力を強化し、引き出しの作動を円滑にし、又、複数の収納箱を重ね置きした時の安定性を増し、引き出しの飛び出しを防止する。
【０００８】
又、別部品を必要としない為、部品の管理が楽であり、必要に応じて組み合わせを変更し、高さが任意に調整出来る為、家具と天井の隙間に挟設する事で家具の転倒防止にも役立ち、又、不要に成った際には簡単に分解可能で資源ごみとして廃却出来る等、極めて有益なる効果を奏するものである。
【考案を実施するための最良の形態】
【０００９】
この考案の最良の形態として、収納箱の大きさは収納する品物の寸法形状に適合した大きさに設定し、且つ、収納箱を置くスペースに合わせた最適な高さ寸法にする事が望ましい。
【実施例１】
【００１０】
そこで、この考案の一実施例を図１〜図４に基づいて詳述すると、上下二分割したダンボール紙等の紙製の上下外枠本体（１）（２）をそれぞれ折り曲げて重合し、組み合わせて形成するか、又は、上下一体の外枠本体を折り曲げて重合し、組み合わせて形成した外枠と引き出し（３）とを組み合わせて成る収納箱であって、且つ、該収納箱は外枠の左右両側板部（１ｂ）（１ｂ’），（２ｂ）（２ｂ’）及び背面側板部（１ｃ）（２ｃ）と引き出し（３）の正面側板部（３ｅ）（３ｆ）と後側板部（３ｃ）（３ｄ）をそれぞれ段目を合理的に利用して二重構造に形成し、且つ、外枠の左右両側板中央部の上下に、転倒防止用係止凸部（１ｆ）（１ｆ’）と位置固定用係止凹部（２ｆ）（２ｆ’），（１ｉ）（１ｉ’）をそれぞれ設け、且つ、上下外枠本体（１）（２）の左右両側板部（１ｂ）（１ｂ’），（２ｂ）（２ｂ’）と引き出し（３）の左右両側板部（３ｂ）（３ｂ’）に引き出し固定用係止穴部（１ｇ）（１ｇ’）と左右両側板固定用係止部材（２ｇ）（２ｇ’）と左右両側板固定用係止溝部（３ｇ）（３ｇ’）をそれぞれ設けた事を特徴とする転倒防止機能付積み重ね式収納箱から構成される。
【００１１】
次に、この考案の材質・寸法形状及び構造について説明すると、まず、収納箱は全て板厚約３〜１０ｍｍのダンボール紙製で形成され、外枠は図１（Ａ）（Ｂ）に示す様に上下二種類の外枠（１）（２）を折り曲げて重合し、横幅寸法が約４９０ｍｍで奥行寸法が約３３０ｍｍで高さ寸法が約１２５ｍｍに形成され、左右両側板部及び後部側板部を二重構造に重合し、且つ、重合した左右側板部及び後部側板部には固着する為の係止凸部（１ｈ）（１ｈ’）と係止凹部（２ｈ）（２ｈ’）と係止穴部（１ｊ）（１ｊ’）と係止凸部（２ｊ）（２ｊ’）と係止凹部（１ｋ）と係止凸部（２ｋ）と係止凸部（１ｅ）と係止凹部（２ｅ）をそれぞれ設けている。又、左右両側板部（１ｂ）（１ｂ’）の上下中央部には位置固定用の係止凸部（１ｆ）（１ｆ’） と係止凹部（２ｆ）（２ｆ’），（１ｉ）（１ｉ’）をそれぞれ設けている。
【００１２】
そして、その外枠の中に収納する引き出し（３）は、図２に示す様に正面側板部（３ｅ）（３ｆ）と後側板部（３ｃ）（３ｄ）をそれぞれ二重構造に形成し、且つ、正面側板部（３ｅ）（３ｆ）中央には取手穴（３ｋ）と粉塵侵入防止用蓋（３ｌ）を設け、更に外枠の左右両側板上端部には引き出し固定用の係止部材（２ｇ）（２ｇ’）と引き出し側の左右両側板部には係止溝部（３ｇ）（３ｇ’）をそれぞれ設け、更に内側後側板（３ｄ）下部中央に分解用半月穴（３ｍ）を設けている。
【００１３】
図３（Ａ）は上部外枠（１）の展開図で、（Ｂ）は下部外枠（２）の展開図で、図４は引き出し（３）の展開図を示し、破線部は何れも折り曲げ線（ＢＬ）を示す。
【００１４】
そして、図５は転倒防止機能付積み重ね式収納箱の組立要領を示す斜視図で、図６は二段重ね置き時の斜視図である。
【実施例２】
【００１５】
その他の事例として、図７に示す展開図は、図３（Ａ）（Ｂ）に示す上下分離型外枠を一体型にした場合のもので、上記同様に引き出しと組み合わせる事で、転倒防止機能付積み重ね式収納箱として使用出来る。但し、一体型外枠の場合は左側板部が二重構造に成らない為、上下分離型外枠に比較すると、やや剛性力が低下する事が考えられる。
【産業上の利用可能性】
【００１６】
この考案の転倒防止機能付積み重ね式収納箱は、収納箱の剛性力を強化し、重ね置きした時の安定性を増し、引き出しの飛び出しを防止し、高さの調整が任意に出来る事で多くの消費者及び関係市場に寄与する点で産業上の利用可能性を有する。
【図面の簡単な説明】
【００１７】
【図１】この考案の一実施例を示し、（Ａ）は上部外枠本体の斜視図で、（Ｂ）は下部外枠本体の斜視図である。
【図２】この考案の一実施例を示し、引き出しの斜視図である。
【図３】この考案の一実施例を示し、（Ａ）は上部外枠本体の展開図で、（Ｂ）は下部外枠本体の展開図である。
【図４】この考案の一実施例を示し、引き出しの展開図である。
【図５】この考案の使用例を示し、組立要領を示す斜視図である。
【図６】この考案の使用例を示し、二段重ね置き時の組立要領を示す斜視図である。
【図７】その他の一実施例を示し、上下一体型外枠本体の展開図である。
【符号の説明】
【００１８】
１  上部外枠本体
１ａ  上部外枠本体の上板部
１ｂ  上部外枠本体の左側板部
１ｂ’  上部外枠本体の右側板部
１ｃ  上部外枠本体の背面側板部
１ｄ  上部外枠本体後側板部との左重合板部
１ｄ’  上部外枠本体後側板部との右重合板部
１ｅ  上下外枠本体の連結用係止凸部
１ｆ  位置固定用左係止凸部
１ｆ’  位置固定用右係止凸部
１ｇ  引き出し固定用左係止穴部
１ｇ’  引き出し固定用左係止穴部
１ｈ  上下外枠本体の連結用左係止凸部
１ｈ’  上下外枠本体の連結用右係止凸部
１ｉ  位置固定用左係止凹部
１ｉ’  位置固定用右係止凹部
１ｊ  上下外枠本体の連結用左係止凹部
１ｊ’  上下外枠本体の連結用右係止凹部
１ｋ  上下外枠本体の連結用後係止凹部
２  下部外枠本体
２ａ  下部外枠本体の底板部
２ｂ  下部外枠本体の左側板部
２ｂ’  下部外枠本体の右側板部
２ｃ  下部外枠本体の背面側板部
２ｅ  上下外枠本体の連結用係止凹部
２ｆ  位置固定用左係止凹部
２ｆ’  位置固定用右係止凹部
２ｇ  引き出し固定用左係止部材
２ｇ’  引き出し固定用右係止部材
２ｈ  上下外枠本体の連結用左係止凹部
２ｈ’  上下外枠本体の連結用右係止凹部
２ｊ  上下外枠本体の連結用左係止凸部
２ｊ’  上下外枠本体の連結用右係止凸部
２ｋ  上下外枠本体の連結用後係止凸部
３  引き出し
３ａ  引き出しの底板部
３ｂ  引き出しの左側板部
３ｂ’  引き出しの右側板部
３ｃ  引き出しの後外面側板部
３ｄ  引き出しの後内面側板部
３ｅ  引き出しの表外面側板部
３ｆ  引き出しの表内面側板部
３ｇ  引き出し固定用左係止溝部
３ｇ’  引き出し固定用右係止溝部
３ｈ  引き出し表側板連結用左係止凸部
３ｈ’  引き出し表側板連結用右係止凸部
３ｉ  引き出し表側板連結用左係止凹部
３ｉ’  引き出し表側板連結用右係止凹部
３ｋ  引き出しの取手穴部
３ｌ  粉塵侵入防止用蓋
３ｍ  分解用半月穴
ＢＬ  折り曲げ線部
【図１】
0003119934.tif 000003
【図２】
0003119934.tif 000004
【図３】
0003119934.tif 000005
【図４】
0003119934.tif 000006
【図５】
0003119934.tif 000007
【図６】
0003119934.tif 000008
【図７】
0003119934.tif 000009